【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
複数の不安定なＤＣ源からのＤＣ電力を電力網に投入するためのＡＣ電力に変換するための電力変換システムであって、
複数の調整電流形インバータであって、前記複数の調整電流形インバータのそれぞれが、多相ＡＣ出力を生成するための複数のスイッチングデバイスを有し、前記複数の不安定なＤＣ源が、入力電力を前記複数の調整電流形インバータのそれぞれに供給し、前記複数の調整電流形インバータのそれぞれの前記多相ＡＣ出力が、前記電力網の電圧と同調して動作し、前記複数の調整電流形インバータのそれぞれ中の前記複数のスイッチングデバイスの整流が、前記複数の調整電流形インバータのそれぞれからの多相ＡＣ出力電流を生成するために順序づけられており、
前記電力網に投入するための三相電流を生成するための前記複数の調整電流形インバータのすべてから供給される前記多相ＡＣ出力電流を位相シフトするための少なくとも１の変圧器であって、前記三相電流が複数の階段波形を有し、前記複数の調整電流形インバータの数を増やすことで前記複数の階段波形の全高調波歪みを低減する
ことを特徴とするシステム。
【請求項２】
前記複数の調整電流形インバータのそれぞれが、
前記複数の調整電流形インバータのそれぞれから供給される前記多相ＡＣ出力電流を調整するためのステップアップ及びステップダウンＤＣ電流調整器の組み合わせを更に備え、前記ＤＣ電流調整器が、各調整周期において単相又は複数相のパルス調整を備える請求項１に記載の電力変換システム。
【請求項３】
前記三相電流の高調波部分を低減するために前記電力網に接続された少なくとも１の能動フィルタを更に備える請求項１又は２に記載の電力変換システム。
【請求項４】
各調整周期が前記電力網の周期と同期し、前記電力網の前記周期よりも短い請求項２又は３に記載の電力変換システム。
【請求項５】
前記複数の調整電流形インバータのそれぞれが、
１以上の前記複数の不安定なＤＣ源からの瞬間電流出力レベルと独立した前記複数の調整電流形インバータのそれぞれから供給される前記多相ＡＣ出力電流を調整するためのステップアップ及びステップダウンＤＣ電流調整器の組み合わせを更に備え、前記ＤＣ電流調整器が、各調整周期において単相又は複数相のパルス調整を備える請求項１に記載の電力変換システム。
【請求項６】
前記複数の調整電流形インバータのそれぞれが、
前記複数の調整電流形インバータのそれぞれに電力を供給する前記複数の不安定なＤＣ源のそれぞれからの瞬間電流出力レベルと独立した前記複数の調整電流形インバータのそれぞれに電力を供給する前記複数の不安定なＤＣ源それぞれの最大電力ポイントでの前記複数の調整電流形インバータのそれぞれからの前記多相ＡＣ出力電流を調整するためのステップアップ及びステップダウンＤＣ電流調整器の組み合わせを更に備え、前記ＤＣ電流調整器が各調整周期において単相又は複数相のパルス調整を備える請求項１に記載の電力変換システム。
【請求項７】
前記複数の不安定なＤＣ源のそれぞれの最大電力ポイントでの出力を維持するための前記複数の不安定なＤＣ源のそれぞれの出力にステップアップＤＣ電流調整器を更に備え、前記複数の調整電流形インバータのそれぞれが、前記複数の調整電流形インバータのそれぞれからの前記多相ＡＣ出力電流を調整するためのステップダウンＤＣ電流調整器を更に備え、前記ステップダウンＤＣ電流調整器が、各調整周期において単相又は複数相のパルス調整を備える請求項１〜６のいずれか１項に記載の電力変換システム。
【請求項８】
前記複数の調整電流形インバータの数が２つであり、前記少なくとも１の変圧器が、分岐したＹ構造の二次巻線及びＹ構造の一次巻線、ダブルデルタ多角形構造二次巻線及びデルタ構造の一次巻線、及びデルタ−Ｙ構造の二次巻線及びＹ構造一次巻線、からなる群から選択される単相変圧器である請求項１〜７のいずれか１項に記載の電力変換システム。
【請求項９】
前記複数の調整電流形インバータの数が３つであり、前記少なくとも１の変圧器が、分岐したＹ構造の二次巻線及びＹ構造の一次巻線を有する単相変圧器である請求項１〜７のいずれか１項に記載の電力変換システム。
【請求項１０】
前記複数の調整電流形インバータの数が４つであり、前記少なくとも１の変圧器が変圧器のペアであり、前記変圧器のペアのそれぞれが、分岐したＹ構造の二次巻線及びジグザグＹ構造の一次巻線と、ダブルデルタ多角形構造二次巻線及び拡張デルタ構造の一次巻線と、からなる群から選択され、４つの調整電流形インバータの半分からの前記多相ＡＣ出力が、前記変圧器の１のペアの二次巻線に排他的に接続される請求項１〜７のいずれか１項に記載の電力変換システム。
【請求項１１】
前記複数の調整電流形インバータの数が１２であり、前記少なくとも１の変圧器が変圧器のペアであり、前記変圧器のペアのそれぞれが、分岐したＹ構造の二次巻線及びジグザグＹ構造の一次巻線と、ダブルデルタ多角形構造二次巻線及び拡張デルタ構造の一次巻線と、からなる群から選択される請求項１〜７のいずれか１項に記載の電力変換システム。
【請求項１２】
前記複数の調整電流形インバータの数が８つであり、少なくとも１の変圧器が４倍の位相をシフトさせる変換器であり、８つの調整電流形インバータの４分の１から供給される前記多相ＡＣ出力が、前記４倍の位相をシフトさせる変換器の１つの二次巻線に排他的に接続される請求項１〜７のいずれか１項に記載の電力変換システム。
【請求項１３】
複数の不安定なＤＣ源からのＤＣ電力を電力網に投入するために変換する方法であって、
前記複数の不安定なＤＣ源それぞれからの出力を複数の調整電流形インバータのそれぞれの入力へ接続し、
前記複数の調整電流形インバータのそれぞれからの多相出力を生成するために、前記複数の調整電流形インバータのそれぞれ中の複数のスイッチングデバイスを順に整流することであって、前記複数の調整電流形インバータのそれぞれからの１の多相出力が、すべての他の前記複数の調整電流形インバータから供給される多相出力とは位相が異なり、
前記複数の調整電流形インバータのそれぞれからの前記多相出力を前記電力網に接続された三相出力を有する位相シフト変換ネットワークに接続し、
前記複数の不安定なＤＣ源それぞれから前記複数の調整電流形インバータのそれぞれ中のインバータセクションへのＤＣ電流を、前記位相シフト変換ネットワークの三相出力で実質的に一定の階段波形電流を生成するために調整する
ことを含むことを特徴とする方法。
【請求項１４】
前記ＤＣ電流を調整するステップが、前記複数の不安定なＤＣ源それぞれからの前記瞬間出力と独立した前記複数の不安定なＤＣ源それぞれの最大電力ポイントを表す前記複数の不安定なＤＣ源それぞれからの一定の多相電流出力を維持するために、選択的に単一又は複数のパルスステップアップ又はステップダウンＤＣ電流調整を行うこと
を更に含む請求項１３に記載の方法。
【請求項１５】
前記選択的な単一又は複数のパルスステップアップ又はステップダウンＤＣ電流調整の周期を前記電力網の周期に同期させるステップを更に備える請求項１４に記載の方法。
【請求項１６】
前記電力網に接続された前記三相出力中の電流高調波部分を最小化するために、前記単一又は複数のパルスステップアップ又はステップダウンＤＣ電流調整を生じさせるステップを更に備える請求項１５に記載の方法。
【請求項１７】
前記複数の不安定なＤＣ源それぞれからのＤＣ電流するステップが、
ステップダウンＤＣ電流調整を行うことを更に含み、更に、
出力を前記複数の不安定なＤＣ源それぞれから前記複数の調整電流形インバータのそれぞれの入力にステップアップＤＣ電流調整により接続する前に、最大電力ポイントでの前記複数の不安定なＤＣ源それぞれの出力を維持するために、前記複数の不安定なＤＣ源それぞれからの出力を調整するステップを含む請求項１３に記載の方法。
【請求項１８】
複数の不安定なＤＣ源から電力網へＡＣ電力のユニットを投入する方法であって、
出力を前記複数の不安定なＤＣ源それぞれから複数の調整電流形インバータのそれぞれの入力へ接続し、
前記複数の調整電流形インバータのそれぞれからの多相出力を生成するために、前記複数の調整電流形インバータのそれぞれの中の複数のスイッチングデバイスを順に整流することであって、前記複数の調整電流形インバータのそれぞれからの１の多相出力が、すべての他の前記複数の調整電流形インバータの各多相出力とは位相が異なり、
前記多相出力を前記複数の調整電流形インバータのそれぞれから前記電力網に接続された三相出力を有する位相シフト変換ネットワークへ接続し、
前記複数の不安定なＤＣ源それぞれから前記複数の調整電流形インバータのそれぞれ中のインバータセクションへのＤＣ電流を前記位相シフト変換ネットワークの前記三相出力で実質的に一定の階段波形電流を生成するために調整すること
を含むことを特徴とする方法。
【請求項１９】
前記ＤＣ電流を調整するステップが、前記複数の不安定なＤＣ源それぞれからの前記瞬間出力と独立した前記複数の不安定なＤＣ源それぞれの最大電力ポイントを表す前記複数の不安定なＤＣ源それぞれからの一定の多相電流出力を維持するために、選択的に単一又は複数のパルスステップアップ又はステップダウンＤＣ電流調整を行うこと
を更に含む請求項１８に記載の方法。
【請求項２０】
前記複数の不安定なＤＣ源それぞれからのＤＣ電流を調整するステップが、
ステップダウンＤＣ電流調整を行うことを更に含み、更に、
出力を前記複数の不安定なＤＣ源それぞれから前記複数の調整電流形インバータのそれぞれの入力にステップアップＤＣ電流調整により接続する前に、最大電力ポイントでの前記複数の不安定なＤＣ源それぞれの出力を維持するために、前記複数の不安定なＤＣ源それぞれからの出力を調整するステップを含む請求項１９に記載の方法。